(57)【要約】【課題】衣類の乾燥むらが大きく、衣類が完全に乾燥してない状態で温度・湿度検出手段により検出される温度、湿度が安定した状態となると、衣類が乾燥していると誤った判断を行うという課題があった。【解決手段】超音波の衣類の透過率あるいは／および超音波の衣類の反射率により衣類の乾燥度合いを判断する衣類乾燥判断手段としての制御手段８を備え、超音波発生手段１２で発生した超音波を衣類１０に照射し、その衣類１０の照射された超音波の透過率あるいは／および反射率を検出し衣類乾燥度合いを判断し、衣類が完全に乾燥してない状態では、物干し１１に干された衣類１０を２方向から循環温風空気で包み込み乾燥させることで、衣類１０の乾燥むら防止でき、衣類１０の大きさや厚さに関係なくむらなく乾燥することができる浴室換気乾燥システムを提供できる。【選択図】図１
2009039145.tif 000002
【特許請求の範囲】
【請求項１】
浴室換気乾燥機と、衣類を干す物干しを備え、前記浴室換気乾燥機は、浴室内の空気を循環させる循環手段と、浴室内の空気を吸込み排気する換気手段と、空気を加熱する加熱手段と、浴室内の空気を吸込む吸込み部と、吸込まれた浴室内の空気を２方向に吹出す吹出し部を備え、前記循環手段により前記吸込み部から吸込まれたのち前記加熱手段により加熱された循環温風空気を前記吹出し部から２方向に前記物干しに干された衣類を挟み込みように吹きだすことを特徴とする浴室換気乾燥システム。
【請求項２】
循環温風の空気流れを浴槽の影響を受けないように浴槽の壁面を床面から上部に循環温風空気が流れるようにし、浴槽側と洗い場側の循環温風空気の風量バランスを洗い場側を多くすることを特徴とする請求項１記載の浴室換気乾燥システム。
【請求項３】
２方向に吹き出す循環温風空気の吹き出し角度を可変可能とし、局部的に吹き出し可能としたことを特徴とする請求項２記載の浴室換気乾燥システム。
【請求項４】
超音波の衣類の透過率あるいは／および超音波の衣類の反射率により衣類の乾燥度合いを判断する衣類乾燥判断手段を備えた請求項３記載の浴室換気乾燥システム。
【請求項５】
衣類乾燥判断手段は超音波を発生する超音波発生手段と前記超音波発生手段により発生し衣類を透過あるいは／および衣類を反射した超音波を受信する超音波受信手段を備え、浴室内の物干しに乾燥を目的に干された衣類に超音波が透過するように物干しの垂直方向下部の壁面に前記超音波発生手段と前記超音波受信手段を備えたことを特徴とする請求項４記載の浴室換気乾燥システム。
【請求項６】
物干しの垂直方向下部に設けた超音波発生手段と超音波受信手段は衣類の大きさに合わせて上下に移動可能としたことを特徴とする請求項５記載の浴室換気乾燥システム。
【請求項７】
物干しの垂直方向下部に設けた超音波発生手段と超音波受信手段は衣類の大きさに合わせて左右に移動可能としたことを特徴とする請求項６記載の浴室換気乾燥システム。
【請求項８】
超音波発生手段から超音波受信手段に向けてレーザー光等は照射し、超音波発生手段から発生する超音波を超音波受信手段が受信できるように位置補正手段を備えた請求項７記載の浴室換気乾燥システム。
【請求項９】
物干しの垂直方向下部に設けた超音波発生手段と超音波受信手段は衣類の大きさを判別するために上下左右に自動で移動可能としたことを特徴とする請求項８記載の浴室換気乾燥システム。
【発明の詳細な説明】
【技術分野】
【０００１】
本発明は、家庭用浴室に設置される浴室換気乾燥しステムに関する。
【背景技術】
【０００２】
従来、この種の浴室換気乾燥システムの衣類乾燥は温度湿度検出手段を備えたものが知られている（例えば特許文献１参照）。
【０００３】
以下、温度湿度検出手段を備えた浴室換気乾燥システムの衣類乾燥について図３を参照しながら説明する。
【０００４】
図３に示すように、浴室１０１内の空気を排気する換気用送風機１０２と、浴室１０１内の空気を循環する循環用送風機１０３と、浴室１０１内の空気を暖める加熱手段１０４と、温度・湿度検出手段１０５とを備え、温度・湿度検出手段１０５により一定時間ごとに検出される検出温度および検出湿度から、浴室１０１内の雰囲気の全熱量と絶対湿度を算出し、前記全熱量から乾燥対象である衣類周囲の雰囲気の絶対湿度を推測し、浴室１０１内の雰囲気の絶対湿度と前記衣類周囲の雰囲気の絶対湿度との差により算出した前記衣類の乾燥速度に応じて、換気用送風機１０２、循環用送風機１０３、または加熱手段１０４を制御するように構成されていた。
【特許文献１】特開２００６−９４９２６号公報
【発明の開示】
【発明が解決しようとする課題】
【０００５】
このような温度・湿度検出手段を備えた浴室換気乾燥システムでは、循環用送風機から浴室内に吹出される循環風は１方向であるため、衣類の乾燥むらが大きく、衣類が完全に乾燥してない状態で温度・湿度検出手段により検出される温度、湿度が安定した状態となると、衣類が乾燥していると誤った判断を行うという課題があった。
【０００６】
本発明は上記課題を解決するもので、循環温風の２方向吹出しと、超音波の透過を使用することで衣類に含まれる水分を直接検出することで衣類の乾燥むらをなくし、周囲の温度、湿度の条件に左右されず、衣類が乾燥していない場合は衣類が乾燥していると誤った判断を行うことなく、確実な衣類乾燥ができる浴室換気乾燥システムを提供することを目的としている。
【課題を解決するための手段】
【０００７】
本発明の浴室換気乾燥システムは、上記目的を達成するために、浴室換気乾燥機と、衣類を干す物干しを備え、前記浴室換気乾燥機は、浴室内の空気を循環させる循環手段と、浴室内の空気を吸込み排気する換気手段と、空気を加熱する加熱手段と、浴室内の空気を吸込む吸込み部と、吸込まれた浴室内の空気を２方向に吹出す吹出し部を備え、前記循環手段により前記吸込み部から吸込まれたのち前記加熱手段により加熱された循環温風空気を前記吹出し部から２方向に前記物干しに干された衣類を挟み込みように吹きだすことを特徴したものである。
【０００８】
この手段により、浴室内に干された衣類を循環温風空気で包み込むことで衣類の乾燥むら防止できる浴室換気乾燥システムが得られる。
【０００９】
また、他の手段は、循環温風の空気流れを浴槽の影響を受けないように浴槽の壁面を床面から上部に循環温風空気が流れるようにし、浴槽側と洗い場側の循環温風空気の風量バランスを洗い場側を多くしたものである。
【００１０】
この手段により、循環温風空気の気流が浴槽の壁面の影響を受けない浴室換気乾燥システムが得られる。
【００１１】
また、他の手段は、２方向に吹き出す循環温風空気の吹き出し角度を可変可能とし、局部的に吹き出し可能としたものである。
【００１２】
この手段により、浴室に干された衣類の大きさに応じて循環温風空気の気流を可変できる浴室換気乾燥システムが得られる。
【００１３】
また、他の手段は、超音波の衣類の透過率あるいは／および超音波の衣類の反射率により衣類の乾燥度合いを判断する衣類乾燥判断手段を備えたものである。
【００１４】
この手段により、浴室内に干された衣類の乾燥度合いを検出できる浴室換気乾燥システムが得られる。
【００１５】
また、他の手段は、衣類乾燥判断手段は超音波を発生する超音波発生手段と前記超音波発生手段により発生し衣類を透過あるいは／および衣類を反射した超音波を受信する超音波受信手段を備え、浴室内の物干しに乾燥を目的に干された衣類に超音波が透過するように物干しの垂直方向下部の壁面に前記超音波発生手段と前記超音波受信手段を備えたものである。
【００１６】
この手段により、浴室内に干された衣類の乾燥度合いを確実に検出できる浴室換気乾燥システムが得られる。
【００１７】
また、他の手段は、物干しの垂直方向下部に設けた超音波発生手段と超音波受信手段は衣類の大きさに合わせて上下に移動可能としたものである。
【００１８】
この手段により、浴室内に干された衣類の大小や、比較的乾燥時間がかかると思われる厚い衣類部分の乾燥度合いを検出できる浴室換気乾燥システムが得られる。
【００１９】
また、他の手段は、物干しの垂直方向下部に設けた超音波発生手段と超音波受信手段は衣類の大きさに合わせて左右に移動可能としたものである。
【００２０】
この手段により、浴室内に干された衣類の横幅方向の比較的乾燥時間がかかると思われる厚い衣類部分の乾燥度合いも検出できる浴室換気乾燥システムが得られる。
【００２１】
また、他の手段は、超音波発生手段から超音波受信手段に向けてレーザー光等は照射し、超音波発生手段から発生する超音波を超音波受信手段が受信できるように位置補正手段を備えたものである。
【００２２】
この手段により、超音波発生手段と超音波受信手段を上下左右に移動した場合でも、超音波発生手段が発生した超音波を超音波受信手段が確実に受信できる浴室換気乾燥システムが得られる。
【００２３】
また、他の手段は、物干しの垂直方向下部に設けた超音波発生手段と超音波受信手段は衣類の大きさを判別するために上下左右に自動で移動可能としたものである。
【００２４】
この手段により、物干しに干された衣類全体の乾燥度合いを自動で検出できる浴室換気乾燥システムが得られる。
【発明の効果】
【００２５】
本発明によれば、衣類の乾燥むらをなくし、周囲の温度、湿度の条件に左右されず、衣類が乾燥していない場合は衣類が乾燥していると誤った判断を行うことなく、確実な衣類乾燥ができる浴室換気乾燥システムを提供できる。
【００２６】
また、浴室内に干された衣類を循環温風で包み込むことで衣類の乾燥むら防止できる浴室換気乾燥システムを提供できる。
【００２７】
また、循環温風の気流が浴槽の壁面の影響を受けない浴室換気乾燥システムを提供できる。
【００２８】
また、浴室に干された衣類の大きさに応じて循環温風の気流を可変できる浴室換気乾燥システムを提供できる。
【００２９】
また、浴室内に干された衣類の乾燥度合いを検出できる浴室換気乾燥システムを提供できる。
【００３０】
また、浴室内に干された衣類の乾燥度合いを確実に検出できる浴室換気乾燥システムを提供できる。
【００３１】
また、浴室内に干された衣類の大小や、比較的乾燥時間がかかると思われる厚い衣類部分の乾燥度合いを検出できる浴室換気乾燥システムを提供できる。
【００３２】
また、浴室内に干された衣類の横幅方向の比較的乾燥時間がかかると思われる厚い衣類部分の乾燥度合いも検出できる浴室換気乾燥システムを提供できる。
【００３３】
また、超音波発生手段と超音波受信手段を上下左右に移動した場合でも、超音波発生手段が発生した超音波を超音波受信手段が確実に受信できる浴室換気乾燥システムを提供できる。
【００３４】
また、物干しに干された衣類全体の乾燥度合いを自動で検出できる浴室換気乾燥システムを提供できる。
【発明を実施するための最良の形態】
【００３５】
本発明の請求項１記載の発明は、浴室換気乾燥機と、衣類を干す物干しを備え、前記浴室換気乾燥機は、浴室内の空気を循環させる循環手段と、浴室内の空気を吸込み排気する換気手段と、空気を加熱する加熱手段と、浴室内の空気を吸込む吸込み部と、吸込まれた浴室内の空気を２方向に吹出す吹出し部を備え、前記循環手段により前記吸込み部から吸込まれたのち前記加熱手段により加熱された循環温風空気を前記吹出し部から２方向に前記物干しに干された衣類を挟み込みように吹きだすことを特徴したものであり、浴室内に干された衣類を循環温風空気で包み込むことで、衣類の乾燥むら防止できるという作用を有する。
【００３６】
また、請求項２記載の発明は、循環温風の空気流れを浴槽の影響を受けないように浴槽の壁面を床面から上部に循環温風空気が流れるようにし、浴槽側と洗い場側の循環温風空気の風量バランスを洗い場側を多くしたものであり、循環温風空気の気流が浴槽の壁面の影響を受けないという作用を有する。
【００３７】
また、請求項３記載の発明は、２方向に吹き出す循環温風空気の吹き出し角度を可変可能とし、局部的に吹き出し可能としたものであり、浴室に干された衣類の大きさに応じて循環温風空気の気流を可変できるという作用を有する。
【００３８】
また、請求項４記載の発明は、超音波の衣類の透過率あるいは／および超音波の衣類の反射率により衣類の乾燥度合いを判断する衣類乾燥判断手段を備えたものであり、浴室内に干された衣類の乾燥度合いを検出できるという作用を有する。
【００３９】
また、請求項５記載の発明は、衣類乾燥判断手段は超音波を発生する超音波発生手段と前記超音波発生手段により発生し衣類を透過あるいは／および衣類を反射した超音波を受信する超音波受信手段を備え、浴室内の物干しに乾燥を目的に干された衣類に超音波が透過するように物干しの垂直方向下部の壁面に前記超音波発生手段と前記超音波受信手段を備えたものであり、浴室内に干された衣類の乾燥度合いを確実に検出できるとうい作用を有する。
【００４０】
また、請求項６記載の発明は、物干しの垂直方向下部に設けた超音波発生手段と超音波受信手段は衣類の大きさに合わせて上下に移動可能としたものであり、浴室内に干された衣類の大小や、比較的乾燥時間がかかると思われる厚い衣類部分の乾燥度合いを検出できるとうい作用を有する。
【００４１】
また、請求項７記載の発明は、物干しの垂直方向下部に設けた超音波発生手段と超音波受信手段は衣類の大きさに合わせて左右に移動可能としたものであり、浴室内に干された衣類の横幅方向の比較的乾燥時間がかかると思われる厚い衣類部分の乾燥度合いも検出できるとうい作用を有する。
【００４２】
また、請求項８記載の発明は、超音波発生手段から超音波受信手段に向けてレーザー光等は照射し、超音波発生手段から発生する超音波を超音波受信手段が受信できるように位置補正手段を備えたものであり、超音波発生手段と超音波受信手段を上下左右に移動した場合でも、超音波発生手段が発生した超音波を超音波受信手段が確実に受信できるという作用を有する。
【００４３】
また、請求項９記載の発明は、物干しの垂直方向下部に設けた超音波発生手段と超音波受信手段は衣類の大きさを判別するために上下左右に自動で移動可能としたことを特徴としたものであり、物干しに干された衣類全体の乾燥度合いを自動で検出できるという作用を有する。
【００４４】
以下、本発明の実施形態について図面を参照しながら説明する。
【００４５】
（実施の形態１）
図１〜図２に示すように、本発明の実施の形態１の浴室換気乾燥システムは、浴槽１を備えた浴室２内の空気を排気する換気手段としての換気用送風機３と、浴室２内に循環温風空気を送風する循環手段としての循環用送風機４と、循環用送風機４により吸込まれた浴室内空気を加熱し、暖める加熱手段としての加熱部５と加熱部５により加熱された循環温風空気を２方向に吹出す吹出し部としての循環温風吹出し部６Ａ、６Ｂと、浴室内の空気を吸込む吸込み部としての循環温風吸込部７と、この循環温風吸込部７は循環温風吹出し部６Ａ、６Ｂに挟まれるように設けられ、換気用送風機３と循環用送風機４と、循環温風吹出し部６Ａ、６Ｂの吹出し方向を制御する制御手段８を備えた浴室換気乾燥機９と、循環温風吸込部７の下部となるように設置された、衣類１０を干す物干し１１と、浴室換気乾燥機９の制御手段８により制御される、物干し１１の下部の壁面に設けられ、互いに向かい合うように配置される衣類１０の乾燥度合いを判断する衣類乾燥判断手段としての機能も備えた制御手段８と、衣類乾燥判断手段としての制御手段８は超音波発生手段１２と超音波受信手段１３を備え、超音波発生手段１２と超音波受信手段１３の位置ずれがないか確認するためのレーザー光発生手段１４と、レーザー光受信手段１５と、超音波発生手段１２と超音波受信手段１３の位置を移動させる超音波発生部移動手段１６と、超音波受信部移動手段１７で構成される。
【００４６】
加熱部５は浴室内を循環を温風にできればよく、例えば電気を利用して発熱するＰＣＴヒーターやハロゲンヒーター、温水を利用した温水コイルがある。
【００４７】
レーザー光発生手段１４とレーザー光受信手段１５は超音波発生手段１２と超音波受信手段１３の位置合わせが可能であればレーザー光でなくてもよい。
【００４８】
超音波発生手段１２、超音波受信手段１３、レーザー光発生手段１４、レーザー光受信手段１５、超音波発生部移動手段１６、超音波受信部移動手段１７が制御手段８により制御または、制御手段８にて情報の受信ができれば有線通信でも赤外線や電波を利用した無線通信でもよい。
【００４９】
上記構成により、乾燥させたい衣類１０を物干し１１に吊るし、浴室換気乾燥機９の運転を行うと、浴室内の空気を循環させるために循環用送風機４が、浴室内の高湿度の空気を排出するために換気用送風機３が、また、浴室２内に送風される循環風を温風にするために加熱部５が加熱されるように制御手段８からの指令によりそれぞれ運転を開始する。温風は衣類１０を挟み込むように循環温風吹出し部６Ａ、６Ｂより吹出され衣類１０の下側から循環温風吸込部７より吸込まれ浴室内を循環する。このとき循環温風吹出し部６Ａ、６Ｂから吹出す循環温風空気の風量は同一風量に設定すると、浴槽１の影響により循環のバランスがくずれるため、浴槽１側の循環温風吹出し部６Ａから吹出す風量を循環温風吹出し部６Ｂから吹出す風量より小さく設定される。
【００５０】
そして循環温風吹出し部６Ｂから吹出す循環温風空気は浴槽１の壁面を流れ衣類１０の方向へ上昇し、この気流に循環温風吹出し部６Ａから吹出す温風を乗せて衣類１０の方向へ上昇させ、循環温風吸込部７へ到達する気流となる。また、浴室２の壁面に設けた超音波発生部移動手段１６と超音波受信部移動手段１７はレーザー光発生手段１４から照射されるレーザー光をレーザー光受信手段１５で受け、互いの位置が向かい合う位置に移動しているか制御手段８に情報伝達および制御を受けながら超音波発生手段１２から超音波を発生し、送出し、衣類１０に照射し、超音波受信手段１３で衣類１０に照射された超音波の衣類１０を透過した超音波と衣類１０を反射した超音波を受信しながら衣類の大きさと、超音波透過率の変化を検出しながら浴室２の壁面を移動する。
【００５１】
超音波の透過率は衣類１０に含まれる水分量が少なくなると減少していき、超音波受信手段１３で受信した超音波の透過レベルが安定すると、制御手段８で衣類１０が乾燥したと判断し、浴室換気乾燥機の運転を停止する。また、衣類１０に含まれる水分量が部分的に多い部分があると、循環温風吹出し部６Ａ、６Ｂの吹出し角度を可変し、水分量の多い部分に循環温風が当るようにすることで乾燥を行う。こうすることにより、衣類乾燥の循環温風の気流が衣類に効率的に流れ、衣類の大きさは厚さによって発生する乾燥むらがなく衣類乾燥を行うことができる。本実施例では、衣類の乾燥度合いの検出と衣類の乾燥度合いの判断を超音波の衣類透過率と衣類反射率の両方を使用して行ったが、どちらか片方を使用して、衣類の乾燥度合いを検出し、衣類の乾燥度合いを判断しても良い。
【００５２】
なお、本実施例では物干し１１は１本としたが、複数であっても循環温風空気で挟み込めるように配置できれば同様な効果が得られる。
【００５３】
循環温風吹出し部６Ａ、６Ｂから吹出す循環温風の風量バランスは、浴槽の壁面を上部に向かってエアーカーテン状できればよく例えば循環温風吹出し部６Ａ：循環温風吹出し部６Ｂを３：７と設定する。
【００５４】
循環温風吹出し部６Ａ、６Ｂから吹出す循環温風の風量バランスを変えたが、浴槽１の壁面を流れ上昇する気流に乗せることができれば、風量バランスを変えずに、風向の可変でも同様な効果が得られる。
【００５５】
循環温風吹出し部６Ａ、６Ｂの吹出し角度可変の一例として循環温風吹出し部６Ａ、６Ｂに風向ルーバーを使用し、ステッピングモーターを利用して可変するものがある。
【産業上の利用可能性】
【００５６】
乾燥度合いの確認が必要な、衣類乾燥機の乾燥手段としての利用も可能である。
【図面の簡単な説明】
【００５７】
【図１】本発明の実施の形態１の浴室換気乾燥機の構成を示す構成図
【図２】同上浴室換気乾燥機の構成を示す構成図
【図３】従来例の浴室換気乾燥機の構成を示す構成図
【符号の説明】
【００５８】
１    浴槽
２    浴室
３    換気用送風機
４    循環用送風機
５    加熱部
６Ａ  循環温風吹出し部
６Ｂ  循環温風吹出し部
７    循環温風吸込部
８    制御手段
９    浴室換気乾燥機
１０  衣類
１１  物干し
１２  超音波発生手段
１３  超音波受信手段
１４  レーザー光発生手段
１５  レーザー光受信手段
１６  超音波発生部移動手段
１７  超音波受信部移動手段
【図１】
2009039145.tif 000003
【図２】
2009039145.tif 000004
【図３】
2009039145.tif 000005